(57)【要約】      （修正有）【課題】空き缶を縦方向に簡便に押し潰して堆積容量を減じることを家庭でも容易にできる空き缶の押し潰し機を提供する。【解決手段】ペアとなる各組みの前記上下板材４１、５１、４２、５２がそれらを連結する蝶着部材１２を中心にして、及び横配置上板材２と各上板材４１、５１を連結する蝶部材１１及び横配置下板材３と各下板材４２、５２を連結する蝶部材１３を支点として空間部の内方に向けて屈折動作させる。この状態で、横配置上板材が空き缶１００の上面に未接触とされ、屈折動作が進行すると、上下板材の板材エッジが空間部に縦配置された空き缶の横側方に当接し、当接状態に至ると、ペアとなる２枚の横配置上下板材から空き缶の上下面に作用する人力による押圧力が、当接する板材エッジを介して横押圧力が空き缶の横側方に作用し、空き缶が前押圧力によって押し潰される。【選択図】図２
0003178559.tif 000002
【実用新案登録請求の範囲】
【請求項１】
空き缶の上面と下面間の長さよりも長い間隔を置いて上下に対向配置されるペアとなる２枚の横配置上下板材と、空き缶の左右両側の幅長さよりも長い間隔を置いて、前記ペアとなる２枚の横配置上下板材の間に、縦方向に対向配置されてペアとされる２組の縦方向配置板材とが組み立てられて内部に空き缶を収納する空間部を形成するものであって、
各組の縦方向配置板材が、ペアとなる２枚の回転半径の等しい上下板材で構成され、該２枚の上下板材のそれぞれが、または上下板材のいずれかが板材エッジを備え、
横配置上板材と縦方向配置板材の各上板材、該上板材と縦方向配置板材の各下板材、該下板材と横配置下板材とがそれぞれ蝶着部材によって回転可能に連結され、ペアとなる各組の前記上下板材がそれらを連結する蝶着部材を中心にして、及び前記横配置上板材と各上板材を連結する蝶部材及び前記横配置下板材と各下板材を連結する蝶部材を支点として前記空間部の内方に向けて屈折動作させられ、この状態で、前記横配置上板材が空き缶の上面に未接触とされ、該屈折動作が進行すると、前記上下板材の板材エッジが前記空間部に縦配置された空き缶の横側方に当接し、当該当接状態に至ると、ペアとなる２枚の横配置上下板材から空き缶の上下面に作用する人力による押圧力が、前記当接する板材エッジを介して横押圧力が空き缶の横側方に作用し、空き缶が前記押圧力によって押し潰されること
を特徴とする空き缶の押し潰し機。
【請求項２】
請求項１において、前記２枚の上下板材が、前記横配置上下板材と同一方向の板材エッジを有する同一形状の矩形状板材で形成され、または前記横配置上下板材に対して傾斜した板材エッジを有する同一形状の台形状板材で形成され、板材エッジが前記横配置上下板材と同一方向で、または傾斜した方向で空き缶に当接することを特徴とする空き缶の押し潰し機。
【考案の詳細な説明】
【技術分野】
【０００１】
本考案は、空き缶の押し潰し機に関する。
【背景技術】
【０００２】
清涼飲料、コーヒー、茶、ビール等各種の飲料が入れられた円筒形容器は、飲料が空にされると空き缶として回収され、リサイクルされる。
【０００３】
特許文献１には、空き缶を台盤上に横置きに載置して押し潰すことを特徴とした空き缶の押し潰し機が記載されている。
【先行技術文献】
【特許文献】
【０００４】
【特許文献１】特開平７−３０３９９８号公報
【考案の概要】
【考案が解決しようとする課題】
【０００５】
特許文献１に記載されているように空き缶を横置きに載置して押し潰す場合、押し潰された空き缶の平面面積、更には堆積させたときに、潰れた空き缶間に空隙が生じて堆積容量を小さくすることに限界がある。
【０００６】
一般に空き缶は、大量に回収されてから、あるいは大量に回収されるときに押し潰すことがなされるが、このような場面で使用される空き缶の押し潰し機はどうしても大型化してしまう。
【０００７】
一般家庭にあっても空き缶は簡便に押し潰して空き缶の堆積容量を減じて回収物として提供したいと願う場合が多い。
【０００８】
本考案は、かかる点に鑑みて各家庭や事務所などで空き缶を縦方向に載置して簡便に押し潰して堆積容量を減じることを可能にしようとするもので、縦方向に載置した空き缶を上下方向の押圧力で押し潰す時に大きな抵抗力を発生するので、この大きな抵抗力を小さくして女性、子供であっても容易に空き缶を押し潰せるようにすることを目的とする。
【課題を解決するための手段】
【０００９】
本考案は、空き缶の上面と下面間の長さよりも長い間隔を置いて上下に対向配置されるペアとなる２枚の横配置上下板材と、空き缶の左右両側の幅長さよりも長い間隔を置いて、前記ペアとなる２枚の横配置上下板材の間に、縦方向に対向配置されてペアとされる２組の縦方向配置板材とが組み立てられて内部に空き缶を収納する空間部を形成するものであって、
各組の縦方向配置板材が、ペアとなる２枚の回転半径の等しい上下板材で構成され、該２枚の上下板材のそれぞれが、または上下板材のいずれかが板材エッジを備え、
横配置上板材と縦方向配置板材の各上板材、該上板材と縦方向配置板材の各下板材、該下板材と横配置下板材とがそれぞれ蝶着部材によって回転可能に連結され、ペアとなる各組の前記上下板材がそれらを連結する蝶着部材を中心にして、及び前記横配置上板材と各上板材を連結する蝶部材及び前記横配置下板材と各下板材を連結する蝶部材を支点として前記空間部の内方に向けて屈折動作させられ、この状態で、前記横配置上板材が空き缶の上面に未接触とされ、該屈折動作が進行すると、前記上下板材の板材エッジが前記空間部に縦配置された空き缶の横側方に当接し、当該当接状態に至ると、ペアとなる２枚の横配置上下板材から空き缶の上下面に作用する人力による押圧力が、前記当接する板材エッジを介して横押圧力が空き缶の横側方に作用し、空き缶が前記押圧力によって押し潰されること
を特徴とする空き缶の押し潰し機を提供する。
【００１０】
本考案は、また、前記２枚の上下板材が、前記横配置上下板材と同一方向の板材エッジを有する同一形状の矩形状板材で形成され、または前記横配置上下板材に対して傾斜した板材エッジを有する同一形状の台形状板材で形成され、板材エッジが前記横配置上下板材と同一方向で、または傾斜した方向で空き缶に当接することを特徴とする空き缶の押し潰し機を提供する。
【考案の効果】
【００１１】
本考案は、空き缶の押し潰し機を上述したように構成し、押圧力によって上下板材が屈折動作すると板材エッジが空き缶の横面に作用して変形させ、もって押し潰し易くなった空き缶を上下方向からの押圧力で容易に押し潰すことができる。
【００１２】
空き缶は元来横方向から作用する力によって変形し易いため、板材エッジを空き缶の横面に当接、押圧することで缶上下方向（縦方向）の抵抗力を減ずることができ、この大きな抵抗力を小さくすることで、一般家庭や事務所において、女性、子供であっても安全に容易に空き缶を押し潰すことができる。
【図面の簡単な説明】
【００１３】
【図１】本考案の実施例である空き缶押し潰し機の構成を示す図。
【図２】板材エッジによって空き缶の横側方の一部を変形させている状況を示す図。
【図３】空き缶が完全に押し潰された状態を示す図。
【考案を実施するための形態】
【００１４】
以下、本考案の実施例を図面に基づいて説明する。
【実施例】
【００１５】
図１は、本考案の実施例である空き缶の押し潰し機の構成を示す図である。
【００１６】
図１において、空き缶の押し潰し機１は、２枚の横配置上下板材２，３と、ペアとされる２組の縦方向配置板材４，５とから構成される。
【００１７】
一方の縦方向配置板材４は、ペアとなる２枚の上下板材４１，４２で構成され、他方の縦方向配置板材５は、ペアとなる２枚の上下板材５１，５２で構成される。
【００１８】
２枚の横配置上下板材２、３は矩形状をなす。正方形状であってもよいが、設置面積を小さくするために矩形状とするのがよい。２枚の横配置上下板材２，３は、空き缶の上面と下面間の長さ（通常１５〜２５ｃｍ）よりも長い間隔Ｌｏを置いて上下に対向配置され、ペアを構成する。材料は木材がよいが、他の材料であってもよい。間隔Ｌｏについては後述する。
【００１９】
２組の縦方向配置板材４，５は、上述した２枚の横配置上下板材２，３の間に、縦方向に対向配置され、ペアを構成する。
【００２０】
各組の縦方向配置板材４，５を構成するペアとなる２枚の上下板材４１，４２と５１と５２は、同一面積の矩形状の板材が用いられ、奥行き方向（図面で手前から奥行き方向）において、横配置上下板材２，３の奥行き方向長さと同一とされる。
【００２１】
各上下板材４１，４２と５１，５２の大きさは同じで（同一形状）厚さも等しくされ、上下方向に配置された時に平坦状をなす。各上下板材４１，４２と５１，５２は対向する端面が平坦形状をなし、このため角は板材エッジとなる。特に実施例で重要な作用をなす板材エッジを４３、４４と５３、５４で示す。板材エッジ４３，４４と５３，５４は直角を呈すれば充分であるが、丸味を帯びて形成されてもよい。
【００２２】
横配置上板材２と縦方向配置板材４，５の上板材４１，５１とが屈折可能な螺着部材１１によって内方で上板材４１，５１と縦方向配置板材４，５の下板材４２，５２が螺着部材１２によって外方で、下材４２、５２と横配置下板材３と螺着部材１３によって内方でそれぞれ接続される。これらの螺着部１１，１２，１３の配置によってそれぞれの縦方向配置板材４，５はそれらの中央部で内方に屈折可能となる。螺着部材１１と螺着部材１２との距離は螺着部材１２と螺着部材１３との距離に等しい。すなわち両者の回転半径が等しい。
【００２３】
２枚の横配置上下板材２，３と２組の縦方向配置板材４，５とが組み立てられ、螺着部材１１，１２，１３で接続されると、内部に空き缶を収納する空間部１０が形成される。
【００２４】
２組の縦方向配置板材４，５は、空き缶の左右両側の長さ（すなわち、空き缶幅長さ）よりも長い間隔を置いて配置される。空き缶幅長さの２〜４倍に設定するのがよい。この範囲に限定されないが余りに大きくすると押し潰し機１の全体構成を大きくせざるを得なくなる。
【００２５】
横配置上板材２と縦方向配置板材４，５の各上板材４１，５１、上板材４１，５１と縦方向配置板材４，５の各下板材４２，５２、下板材４２，５２と横配置下板材３とがそれぞれ螺着部材１１，１２，１３によって回転可能に連結され、ペアとなる各組の上下板材４１，４２と５１，５２がそれらを連結する蝶着部材１１，１２，１３を中心にして、及び横配置上板材２と各上板材４１，５１を連結する蝶部材１１及び横配置下板材３と各下板材４２，５２を連結する蝶部材１３を支点として空間部１０の内方に向けて屈折動作させられ、この状態で、横配置上板材２が空き缶の上面に未接触とされ、屈折動作が進行すると、まず上下板材４１，４２と５１と５２の板材エッジ４３，４４と５３と５４が空間部１０に縦配置された空き缶の横側方に当接する。
【００２６】
図２は、屈折動作が進行し、空き缶１００の横側方の一部が板材エッジ４４，５４によって変位され、空き缶１００が一部変形した状態を示す。この当接状態に至ると、横配置上板材２の下面が空き缶１００の上面に接触させられる。
【００２７】
この横当接した時に、Ｌｏから変位した横配置上下板材２，３の間隔Ｌは、空き缶の上面と下面間との高さよりも長い間隔に設定された。この設定は、縦方向配置板材４，５の配置間隔と縦方向の高さに依存して定まる。すなわち、上下板材の当接時の空き缶の側方となす当接角とによって定まる。高さの異なる空き缶を対象として押し潰そうとする場合には、それらの内の最大の高さを持つ空き缶に従って、縦方向配置板材４，５の配置間隙及びこれらの高さを設定する。
【００２８】
上下板材４１，４２と５１，５２が屈折動作し、板材エッジ４３，４４と５３，５４が空き缶に当接した後に、横配置上板材２が縦方向配置とされた空き缶の上面に接することになるように、間隔Ｌｏが設定される。
【００２９】
このように設定することによって空き缶の押し潰し抵抗を減じた後に上下方向の押圧力を空き缶の上下方向に作用させることができるので、押圧力を小さくして空き缶を押し潰すことができる。
【００３０】
上述した当接状態に至ると、ペアとなる２枚の横配置上下板材２，３から空き缶の上下面に作用する人力による押圧力が、当接する板材エッジ４３，５３と４４と５４を介して横押圧力が空き缶の横側方に作用して空き缶を横方向からまず変形させ、次いで空き缶が上下方向の押圧力によって押し潰される。したがって、高さの異なるいくつかの種類の空き缶であっても、横方に板材エッジが接触してから上面が接触するので、１つの空き缶の押し潰し機で処理することができる。
【００３１】
この例では、２枚の上下板材４１，４２と５１と５２のそれぞれが板材エッジ４３，４４と５３，５４を備えるものとして説明したが、上下板材４１、４２のいずれかかつ板材エッジ４３，５３又は４４，５４を備えるようにすれば充分に横側方に横押圧力を作用させることができる。
【００３２】
空き缶を押し潰した後の横配置上板材２の元の位置への復原は人力で行うことができる。人力に代えて縦方向配置板材４、５の外側の４隅に復原スプリングを配置して、復原スプリングの復原力で元の位置に戻すようにしてもよい。
【００３３】
図１では、２枚の上下板材４１，５１と４２，５２が、横配置上下板材２，３と同一方向の板材エッジ４３，４４と５３，５４を有する矩形状板材で形成する例を示したが、上下板材４１，５１と４２，５２を横配置上下板材２，３に対して傾斜する板材エッジを有する同一形状の台形状板材で形成し、板材エッジ４１，５１と４２，５２が傾斜した方向で空き缶の横側方に当接するようにすることも可能である。すなわち、双方の台形状板材の回転半径は等しい。板材エッジ４１，５１と４２，５２が傾斜した方向で空き缶の横側方に当接するようにすると空き缶をより容易に押し潰すことができる。
【００３４】
図３は、押し潰し機１によって空き缶１００が押し潰された状態を示す。空き缶１００は、元来横方向から作用する力によって変形し易く、上下方向の押圧力に対しては変形しずらい性質を有しているが、本実施例の押し潰し機１によれば横方向からの横押圧力をまず作用させて空き缶１００の一部を変位、変形させて上下方向の抵抗力を弱めることができ、大きな抵抗力を小さくすることで、一般家庭や事務所において、女性、子供であっても足で押圧することで、安全に容易に空き缶を押し潰すことができる。
【００３５】
そして、図に示すように、上下板材を屈折動作させて空き缶１００の一部を変位させているので、押し潰し機の構成はシンプルであり、操作の仕方も極めて簡便である。
【符号の説明】
【００３６】
１…空き缶の押し潰し機、２…横配置上板材、３…横配置下板材、４，５…横方向配置板材、１０…空間部、１１，１２，１３…螺着部材、４１，５１…上板材、４２，５２…下板材、４３，４４と５３，５４…板材エッジ、１００…空き缶。
【図１】
0003178559.tif 000003
【図２】
0003178559.tif 000004
【図３】
0003178559.tif 000005